(57)【特許請求の範囲】
【請求項１】
遊技機に固定された取付台に遊技動作用制御基板を収納する基板収納ボックスを取り付ける遊技機の基板収納ボックス取付構造において、
前記基板収納ボックスは矩形の箱形を成し、前記基板収納ボックスの短手側壁の一方に設けた当接部と、前記基板収納ボックスの対向する両長手側壁の前記当接部近傍に、前記基板収納ボックスの長手方向に対し軸線が直角方向となるように頂部を外側に向けて設けた一対の第１係合ピンと、前記対向する両長手側壁の他方の前記短手壁側に、軸線が前記第１係合ピンの前記軸線と平行になるように頂部を外側に向けて設けた一対の第２係合ピンと、を備え、
前記取付台は、矩形状の底板と、前記底板の短手側の一端に設けた付勢手段と、前記第１係合ピンが係合する第１係合溝と、前記第２係合ピンが係合する第２係合溝と、を備え、
前記第１係合溝はＬ字状の溝であって、前記第１係合ピンが前記Ｌ字状の垂直部分に係合して前記付勢手段の付勢方向と反対方向となる前記Ｌ字状の水平部分に移動自在に案内され、前記第２係合溝はＬ字状の溝であって、前記第２係合ピンが前記Ｌ字状の垂直部分に係合して前記付勢手段の付勢方向となる前記Ｌ字状の水平部分に移動自在に案内されるものであり、
前記基板収納ボックスの当接部が前記付勢手段に当接する際、前記第１係合ピンを第１開口部から挿入し、第１係合ピンを水平部分で前記付勢手段に抗して付勢方向と反対方向に移動したとき、前記第２係合ピンが前記第２係合溝の垂直部分に挿入可能なように構成され、
前記付勢手段の弾発力によって前記基板収納ボックスが前記付勢方向に移動したときは、前記第２係合ピンは前記第２係合溝の水平部分に到達し、第２係合ピンが第２係合溝に係合するとともに、第１係合ピンが第１水平部内に保持されることで、前記第１係合ピン及び前記第２係合ピンがそれぞれ前記第１係合溝内及び前記第２係合溝内に係止されて、前記基板収納ボックスが前記取付台に取り付けられ、
また、前記取付台は、前記第１係合ピン及び前記第２係合ピンをそれぞれ前記第１係合溝内及び前記第２係合溝内に係合させた状態で前記付勢手段により前記基板収納ボックスを付勢した時、前記基板収納ボックスに係合して前記付勢による前記基板収納ボックスの移動を阻止する係止部を有することを特徴とする遊技機の基板収納ボックス取付構造。
【発明の詳細な説明】
【０００１】
【発明の属する技術分野】
本発明は、パチンコ遊技機等の弾球遊技機やスロットマシン等のメダル遊技機に係わり、特に遊技機に固定された取付台に遊技動作用制御基板を収納する基板収納ボックスを取り付ける遊技機の基板収納ボックス取付構造に関する。
【０００２】
【従来の技術】
従来、パチンコ遊技機等の弾球遊技機やスロットマシン等の遊技機には、多くの制御基板が設けられている。特に、遊技動作を制御する遊技制御基板には、マイクロコンピュータを構成するＭＰＵ、ＲＯＭ、ＲＡＭ等の電子部品や回路が多数実装されている。そして、遊技動作を制御するプログラムが格納されるＲＯＭを交換することにより、多くの場合、異なる遊技内容を実現することが可能である。従って、この種の弾球遊技機では、遊技制御基板に実装されたＲＯＭ等の電子部品を不正に交換できないように、遊技制御基板を樹脂製の基板収納ボックス内に収納すると共に封止手段にて封止し、監督官庁等による検査の際に、その基板収納ボックスから封止手段を切断するなどして封止を解除し、遊技制御基板を検査できるようにしてある。そして、検査後は再び基板収納ボックスを組み付けて封止する。なお、このように蓋体とボックス本体を封止する理由は、制御基板に対する不正行為（ジャンパー配線を接続したり、電子部品を実装したりする不正工作）を防止する防犯効果を高めるためである。
【０００３】
この基板収納ボックスは、従来、制御基板を収納する矩形のボックス本体と、このボックス本体を覆う蓋体と、前記蓋体の開放を封止する封止手段と、から構成される。なお、ボックス本体は矩形状底板に沿って立設した周壁部を有する。また、蓋体はボックス本体の外形よりやや大きく形成され、蓋板に沿って立設した外周壁部を有する。
【０００４】
更に、封止手段は基板収納ボックスの相反する２箇所（箱体の１８０°対称位置あるいは対角位置）あるいは基板収納ボックスの一側が回動自在に支持されている場合は他側に１箇所設けられている。この封止手段は、例えばボックス本体と蓋体双方に設けられたネジ螺合部に双方にわたってワンウェイネジ（一方向ネジ）等の特殊形状ネジを螺合する手段である。また、この種の封止手段は、一方向ネジ等で固着した部分を切断しない限り基板収納ボックスを開封できない構造のものなので、切断の痕跡の有無により開封の事実を確認できる。そして、封止手段は複数回（４回から６回程度）の検査が可能なように、１箇所の封止手段にネジ螺合部と一方向ネジとのセットがボックス本体と蓋体双方に４セットから６セット設けられている。
【０００５】
そして、ボックス本体と蓋体を組み付ける際は、蓋体の外周壁部内にボックス本体の周壁部を挿入することで外周壁部と周壁部を重複させて覆い、この蓋体とボックス本体を封止手段で固着する。
【０００６】
そして、封止手段で固着された組付体（基板収納ボックス）は、遊技盤の裏側の裏カバー等に取付けられる。この取付けの際には、遊技盤の裏カバーに直接基板収納ボックスを取付けるのではなく、通常は遊技盤の裏カバーに予め固定されている金属製の取付台を介して取付けられる。
【０００７】
すなわち、遊技盤の裏カバーに固定されている取付台には、基板収納ボックス固定用の取付け穴あるいはタップ（ネジ部）が予め加工されている。一方、基板収納ボックス側の４隅には、取付台側の取付け穴（あるいはタップ）に対応して取付け穴が設けられている。そして、取付けの際、基板収納ボックスを一人の作業員が手で押さえて取付台に位置決めし、場合によっては二人目の作業員が遊技盤の裏カバー自体を押さえて、基板収納ボックスの取付け穴にネジを差し込み、取付台の取付け穴（あるいはタップ）と螺合することで基板収納ボックスを遊技盤の裏カバーに固着していた。
【０００８】
【発明が解決しようとする課題】
このように、従来のネジによる基板収納ボックスの取付け方法では、複数の作業員を必要とする他、ドライバーを操作しネジで螺合する作業が面倒で多大な時間を要するといった問題があった。
【０００９】
なお、取り付け／取り外し作業は、基板収納ボックスの検査の際に必ず行わなければならないので、(1) 検査毎に行うネジ解除／螺合作業が面倒である。(2) また、同一ネジで解除／螺合を繰り返し行うので、ネジ頭がドライバーで潰れてしてしまう恐れがある。
【００１０】
本発明は、固定用ネジを必要とせずに、基板収納ボックスを取付台に簡単に取り付けでき、取り外しも容易な遊技機の基板収納ボックス取付構造を提供することを課題とする。
【００１１】
【課題を解決するための手段】
前記課題を達成するために、本発明の遊技機の基板収納ボックス取付構造は以下に示す手段を採用した。すなわち、遊技機に固定された取付台に遊技動作用制御基板を収納する基板収納ボックスを取り付ける遊技機の基板収納ボックス取付構造において、
前記基板収納ボックスは矩形の箱形を成し、前記基板収納ボックスの短手側壁の一方に設けた当接部と、前記基板収納ボックスの対向する両長手側壁の前記当接部近傍に、前記基板収納ボックスの長手方向に対し軸線が直角方向となるように頂部を外側に向けて設けた一対の第１係合ピンと、前記対向する両長手側壁の他方の前記短手壁側に、軸線が前記第１係合ピンの前記軸線と平行になるように頂部を外側に向けて設けた一対の第２係合ピンと、を備え、
前記取付台は、矩形状の底板と、前記底板の短手側の一端に設けた付勢手段と、前記第１係合ピンが係合する第１係合溝と、前記第２係合ピンが係合する第２係合溝と、を備え、
前記第１係合溝はＬ字状の溝であって、前記第１係合ピンが前記Ｌ字状の垂直部分に係合して前記付勢手段の付勢方向と反対方向となる前記Ｌ字状の水平部分に移動自在に案内され、前記第２係合溝はＬ字状の溝であって、前記第２係合ピンが前記Ｌ字状の垂直部分に係合して前記付勢手段の付勢方向となる前記Ｌ字状の水平部分に移動自在に案内されるものであり、
前記基板収納ボックスの当接部が前記付勢手段に当接する際、前記第１係合ピンを第１開口部から挿入し、第１係合ピンを水平部分で前記付勢手段に抗して付勢方向と反対方向に移動したとき、前記第２係合ピンが前記第２係合溝の垂直部分に挿入可能なように構成され、
前記付勢手段の弾発力によって前記基板収納ボックスが前記付勢方向に移動したときは、前記第２係合ピンは前記第２係合溝の水平部分に到達し、第２係合ピンが第２係合溝に係合するとともに、第１係合ピンが第１水平部内に保持されることで、前記第１係合ピン及び前記第２係合ピンがそれぞれ前記第１係合溝内及び前記第２係合溝内に係止されて、前記基板収納ボックスが前記取付台に取り付けられ、
また、前記取付台は、前記第１係合ピン及び前記第２係合ピンをそれぞれ前記第１係合溝内及び前記第２係合溝内に係合させた状態で前記付勢手段により前記基板収納ボックスを付勢した時、前記基板収納ボックスに係合して前記付勢による前記基板収納ボックスの移動を阻止する係止部を有することを特徴とする。
【００１２】
遊技機に固定された取付台に基板収納ボックスを取り付ける際、基板収納ボックスの当接部を取付台の付勢手段に当接させると共に、第１係合ピンを第１係合溝に係合させる。次に、基板収納ボックスを付勢手段の付勢力に抗して押圧し、第１係合ピンを第１係合溝内の付勢方向と反対方向に移動自在に案内すると共に、第２係合ピンを第２係合溝に係合させる。次に、基板収納ボックスによる押圧動作を止めると、付勢手段の付勢力により第１係合ピン及び第２係合ピンがそれぞれ第１係合溝内及び第２係合溝内に係止した状態となり、基板収納ボックスを取付台に取り付けることができる。
【００１３】
一方、取付台から基板収納ボックスを取り外す際は、取付け手順と反対の手順で行う。すなわち、基板収納ボックスを付勢手段の付勢力に抗して押圧し、第１係合溝内及び第２係合溝内において、第１係合ピン及び第２係合ピンを付勢方向と反対方向に移動自在に案内し、まず、第２係合ピンを第２係合溝との係合状態を解除する。次に、基板収納ボックスによる押圧動作を止めると、付勢手段の付勢力により第１係合ピンが第１係合溝内を付勢方向に案内され、第１係合ピンが第１係合溝から離脱可能な位置まで移動する。
【００１４】
この構成によれば、取付けの際、一対の第１係合ピン及び第２係合ピンが第１係合溝内及び第２係合溝内に係合することで上下方向の移動を規制でき、基板収納ボックスを付勢方向に付勢することで第１係合ピン及び第２係合ピンが第１係合溝内及び第２係合溝内から離脱しようとして付勢方向と反対方向に移動しないように規制できる。従って、固定用ネジを必要としないので、取付台に基板収納ボックスを容易に固定できる。また、取り外しの際も、取付け手順と反対の手順で行えばよいので作業は容易である。
【００１５】
また、本発明の遊技機の基板収納ボックス取付構造において、前記取付台は、前記第１係合ピン及び前記第２係合ピンをそれぞれ前記第１係合溝内及び前記第２係合溝内に係合させた状態で前記付勢手段により前記基板収納ボックスを付勢した時、前記基板収納ボックスに係合して前記付勢による前記基板収納ボックスの移動を阻止する係止部を有するものが好ましい。この係止部を付加した構成によれば、基板収納ボックスを付勢手段で係止部側に付勢した状態とすることで、取付台に基板収納ボックスをしっかりと固着し、ガタツキも生じない。
【００１７】
更にまた、本発明の遊技機の基板収納ボックス取付構造において、前記付勢手段は基板収納ボックスを付勢できるものであり、例えば板バネやコイルバネが考えられ、そのうち板バネが好適である。
【００１８】
【発明の実施の形態】
以下、本発明の一実施の形態に係る遊技機の基板収納ボックス取付構造を図１〜図１７に基づいて詳細に説明する。なお、この実施の形態では、遊技機をパチンコ遊技機（弾球遊技機）として説明する。
【００１９】
［弾球遊技機の構造］
弾球遊技機１は、図１の正面図および図２の背面図に示すように、縦長な方形状に枠組み形成される外枠２と、この外枠２の一側に開閉自在に軸支され且つ弾球遊技機１の主要構成部のほぼすべてが集約して設けられる枠基体３と、を備えている。また、弾球遊技機１の側方には、遊技者に遊技玉を貸し出すためのユニット装置であるカードユニット装置３０が付設されている。
【００２０】
枠基体３は、主要構成部として遊技盤４０と、操作ハンドル２２と、機構板５０と、打球発射装置７１とを備えている。
【００２１】
遊技盤４０は、枠基体３の裏面側に一体的に形成される遊技盤収納枠（図示しない）に収納固定されるべく、ほぼ正方形状の合板により形成され、その表面には、打玉を賞球に導く各種装置や、遊技の雰囲気を盛り上げる各種照明や表示手段等が装着されている。
【００２２】
すなわち、遊技盤４０には、その上部に装飾ＬＥＤ７や装飾蛍光灯６ａ，６ｂが設けられている。この装飾ＬＥＤ７や装飾蛍光灯６ａ，６ｂは、遊技状態に応じて点灯又は点滅されるものであり、特別の遊技状態の発生時や継続時を遊技者に報知すると共に遊技の雰囲気を盛り上げるものである。
【００２３】
また、遊技盤４０には、払い出すべく景品玉が不足したことを報知する玉切れＬＥＤ８や、入賞玉の発生に基づいて所定個数の景品玉が払い出されたことを報知する払出ＬＥＤ９が設けられ、更に、遊技の進行に応じた効果音を発生するスピーカ１０ａ，１０ｂが設けられている。
【００２４】
操作ハンドル２２は遊技盤４０の下側に設けられている。この操作ハンドル２２は、打球発射装置７１の発射装置モータ７２の駆動を開始せしめるメインスイッチ及びタッチアンテナ（共に図示しない）を内蔵していると共に、弾発力を調節するものである。
【００２５】
機構板５０は、弾球遊技機１の裏面側に開閉自在に設けられている。機構板５０の中央には入賞玉集合カバー体５２が設置されている。入賞玉集合カバー体５２には、中継基板５３と、ドラム表示制御回路基板５４を備えたドラム状可変表示装置４１と、が設けられている。なお、各基板５３，５４は、相互間で接続されている。また、中継基板５３には、遊技盤４０上の各種電気部品が接続されると共に、遊技制御回路基板６１が接続されている。また、ドラム表示制榔回路基板５４には、可変表示装置４１を構成する各種電気部品（ドラムモータ、ドラムランプ、ドラムセンサ等）が接続されると共に、遊技制御回路基板（制御基板）６１が接続されている。
【００２６】
また、機構板５０には、発生した入賞玉に基づいて所定個数の賞球を払い出す玉タンク５５と、玉タンク５５内の玉を払い出す手段及び入賞玉排出ソレノイド６０ｂを備えた入賞玉処理装置６０と、遊技制御回路基板６１を収納した遊技基板基板ボックス（基板収納ボックス）６２と、賞球払出制御基板６３を収納した制御基板ボックス６４と、ユニット中継基板６５を収納した中継基板ボックス６６と、ターミナル基板６７を収納したターミナル基板ボックス６８と、が設けられている。
【００２７】
遊技制御回路基板６１は、ＣＰＵ、ＲＡＭ、及びＲＯＭを備えてドラム式可変表示装置４１や可変入賞球装置４２等の遊技装置の遊技動作を制御するものである。賞球払出制御基板６３は、賞球払出装置５６の動作を制御するものである。ユニット中継基板６５は、弾球遊技機１とカードユニット装置３０との配線を中継するものである。ターミナル基板６７は、遊技制御回路基板６１に電源を供給するものである。
【００２８】
また、弾球遊技機１の裏面には、機構板５０以外の領域に、装飾制御基板６９を収納した制御基板ボックス７０と、発射装置モータ７２を備えた打球発射装置７１とが設けられている。装飾制御基板６９は、遊技制御回路基板６１からの指令又はデータに基づいて弾球遊技機１の前面に設けられる電気的装飾部品（ランプ等）の動作を制御するものである。
【００２９】
なお、上記した各種基板及び装置には、所定の配線を接続するためのコネクタが設けられており、特に、ターミナル基板ボックス６８に収納されるターミナル基板６７は、遊技制御回路基板６１に電源を供給するだけでなく、弾球遊技機１に設けられる各種電気的装置、例えば、上記した各基板及び打球発射装置７１にも電源を供給すると共に、弾球遊技機１の内部での信号線の中継、あるいは弾球遊技機１と外部との信号線の中継を行うための端子も設けられている。
【００３０】
カードユニット装置３０は、正面に設けられる操作部を操作することにより作動されるものである。このカードユニット装置３０は、使用可能状態であるか否かを表示する使用可能表示器３１と、カードユニット装置３０がいずれの側の弾球遊技機１に対応しているか否かを表示する連結台方向表示器３２と、記録媒体としての磁気カードを挿入するカード投入口３３とが設けられている。
【００３１】
そして、このように構成されるカードユニツト装置３０は、独自の制御回路によって制御されるものであり、制御基板ボックス６４内に収納された賞球払出制御基板６３と接続されている。なお、本実施の形態においては、遊技者に遊技玉を貸し出すためのユニット装置としてカードユニット装置３０を例示したが、例えば、紙幣等を挿入し得るユニット装置であっても良い。
【００３２】
一方、遊技盤４０には、上皿１２に残留する打玉を検出する上皿玉検出器（図示しない）が設けられている。遊技盤４０には、弾球遊技機１に隣接して設けられるカードユニット装置３０を介して遊技玉を借り受ける際に操作する操作部が設けられている。なお、この操作部は、玉貸スイッチ、返却スイッチ、自動玉貸スイッチ、度数表示ＬＥＤ、及び自動玉貸表示ＬＥＤ（共に図示しない）から構成されている。玉貸スイッチは、カードユニット装置３０によって遊技玉を借り受ける際に操作するものである。返却スイッチは、遊技終了の際にカードユニット装置３０のカード挿入口３３に差し込まれたカードを返却するためのものである。
【００３３】
度数表示ＬＥＤは、カードユニット装置３０のカード挿入口３３に差し込まれたカードの残額が表示されるものである。また、自動玉貸スイッチは、借り受けるべき遊技玉を前記玉貸スイッチを操作して行うマニュアルモードと、上皿の打玉の残量が前記上皿玉検出器によって検出されなくなったときに自動的に遊技玉を払い出す自動モードと、のいずれかのモードに設定するものであり、自動モータが選択設定されているときには、自動玉貸表示ＬＥＤが点灯している。
【００３４】
自動玉貸スイッチは自動モードに設定すると、上皿玉検出器が打玉の不存在を検出した時点で自動的に遊技玉を上皿１２に払い出すので、遊技盤４０の遊技内容において大当り遊技状態が発生するチャンス時に上皿の残留玉がほとんどなくなった場合であっても、慌てて玉貸スイッチを操作する必要はなく、有利なチャンス（継続権の成立）を逃してしまうという不都合は生じない。
【００３５】
［遊技基板ボックス（基板収納ボックス）の構造］
次に、遊技制御回路基板６１を収納する遊技基板ボックス６２の構造について図３〜図９に基づき説明する。
遊技基板ボックス６２は、遊技制御回路基板６１を内部に収納するボックス本体１１０と蓋体８０との組付体である。この組付体が取付台１５０を介して機構板５０に取り付けられて構成される。また、遊技基板ボックス６２の長手方向一端部には、外側方に突出するように封止手段が１箇所設けられている。
【００３６】
ボックス本体１１０は透過合成樹脂製であり、図３に示すように、矩形状の底板１１１と、底板１１１の外周に沿って底板１１１に立設した周壁部１１２と、遊技制御回路基板６１を載置する載置枠１１３と、を備えている。
【００３７】
周壁部１１２は底板１１１の外周縁の全周にわたって側壁状に形成されている。この周壁部１１２の長手方向の一側壁には封止手段であるネジ螺合部１１５が切断部１１６ａ，１１６ｂを介して６個連設されている。ネジ螺合部１１５は有底円筒状に形成され、有底部分に一方向ネジ用の螺合孔が形成されている。そして、円筒部分が螺合孔を保護する保護筒の役割をしている。
【００３８】
切断部１１６ａは周壁部１１２とネジ螺合部１１５を連結し、切断部１１６ｂはネジ螺合部１１５同士を周壁部１１２に沿って連結する。なお、切断部１１６ａ，１１６ｂは、ニッパーやマイナス・ドライバー等の工具で容易に切断できるように中央部側が薄く括れている。
【００３９】
周壁部１１２の長手方向において、前記封止手段が形成された一側壁と対向する側壁１１７には、断面形状が中心角１８０°の円弧状（略Ｃ形状，図５参照）を成す係合爪１１８，１１８が２箇所設けられている。この係合爪１１８，１１８は、略Ｃ形状の内周面１１８ａを周壁部１１２の外側に向けた状態で略Ｃ形状の下端部が側壁１１７上に固定されている。なお、遊技基板ボックス本体６２を取付台１５０に取り付ける際、側壁１１７は付勢手段に当接する当接部となる。
【００４０】
載置枠１１３は周壁部１１２の内側に沿って底板１１１に立設された枠状の載置台である。載置枠１１３の外形は遊技制御回路基板６１の外形よりやや小さく形成されている。また、載置枠１１３の４隅には鉤状の係合突起を有する係止片１１４…が延設されている。この係止片１１４…は遊技制御回路基板６１が載置枠１１３に載置された時、遊技制御回路基板６１の４隅を係合突起で係合するために用いられる。
【００４１】
蓋体８０は、透明合成樹脂製であり、図４に示すように、矩形状の蓋板８１と、蓋板８１の外周に沿って蓋板８１に立設した外周壁部８２と、を備えている。なお、蓋体８０およびボックス本体１１０を透過合成樹脂製とした理由は、蓋体８０およびボックス本体１１０が透過性のものであれば、遊技制御回路基板６１に対する不正行為の発見を容易にするためである。
【００４２】
外周壁部８２は蓋板８１の外周縁の全周にわたって側壁状に形成され、外周壁部８２の内周はボックス本体１１０の周壁部１１２の外周よりやや大きく形成されている。この外周壁部８２の長手方向の１側壁には封止手段であるネジ螺合部８４が切断部８５ａ，８５ｂを介して６個連設されている。ネジ螺合部８４は、図９に示すように、有底円筒状に形成され、有底部分に一方向ネジ用の螺合孔が形成されている。そして、円筒部分が螺合孔を保護する保護筒の役割をしている。なお、蓋体８０のネジ螺合部８４とボックス本体１１０のネジ螺合部１１５は、蓋体８０とボックス本体１１０を組み付ける際に、ネジ螺合部８４の底部とネジ螺合部１１５の円筒状の保護筒部が挿入可能な位置にそれぞれ配置されている。
【００４３】
切断部８５ａは外周壁部８２とネジ螺合部８４を連結し、切断部８５ｂはネジ螺合部８５同士を外周壁部８２に沿って連結する。なお、切断部８５ａ，８５ｂも、切断部１１６ａ，１１６ｂと同様にニッパーやマイナス・ドライバー等の工具で容易に切断できるように中央部側が薄く括れている。
【００４４】
外周壁部８２の長手方向において、前記封止手段が形成された一側壁と対向する側壁８１ａには、両端が支持された軸体８３が設けられている。この軸体８３の外周面は断面形状が中心角２７０°の円弧を成す曲面８３ａ（図６参照）を有する。そして、曲面８３ａ以外の外周面は凹部８３ｂとなっている。
【００４５】
また、外周壁部８２の対向する両長手側壁には、第１係合ピン９１ａ，９１ｂと第２係合ピン９２ａ，９２ｂが設けられている。第１係合ピン９１ａ，９１ｂは軸体８３側の両長手側壁に設けられた丸棒状のピンである。この第１係合ピン９１ａ，９１ｂは、外周壁部８２の長手方向に対し軸線が直角方向となるように頂部を外側に向けて一対となるように設けられている。一方、第２係合ピン９２ａ，９２ｂは、封止手段側の両長手側壁に設けられた丸棒状のピンである。この第２係合ピン９２ａ，９２ｂは、軸線が第１係合ピン９１ａ，９１ｂの軸線と平行になるように頂部を外側に向けて一対となるように設けられている。
【００４６】
更に、蓋板８１には、遊技基板ボックス６２内に収納される遊技制御回路基板６１の電子部品実装領域８６とコネクタ実装領域８７ａ，８７ｂとを仕切る仕切り壁８８ａ，８８ｂが形成されている。そして、蓋板８１のコネクタ実装領域８７ａ，８７ｂには、コネクタ挿入用穴８９ａ〜８９ｅが穿設されている。なお、図示してはいないが、蓋板８１には、放熱用の小さい穴が多数穿設されている。
【００４７】
そして、ボッスク本体１１０と蓋体８０とを組み付ける際、図７に示すように、蓋体８０をボッスク本体１１０に対し９０°程度の角度をつけて配置し、係合爪１１８の内周面１１８ａに軸体８３の曲面８３ａを係合させる。この時、図８に示すように、係合爪１１８の断面形状が円弧状であり略Ｃ形状の内周面１１８ａが外側を向いているので、内周面が欠けた部分の空間より軸部８３を内周面１１８ａ側に挿入して容易に係合させることができる。また、係合爪１１８の断面形状が略Ｃ形状なので、係合爪１１８の内周面１１８ａが軸体８３の外周面に倣う形状となるので係合爪１１８が軸受けとして機能し軸体８３への係合作業が容易になる。
【００４８】
そして、軸体８３を回転軸とし蓋体８０を回転させる時、係合爪１１８を軸体８３の曲面８３ａに沿って滑らかに回転させることができ、蓋体８０をボックス本体１１０側に回転させるだけで、ボックス本体１１０を蓋体８０で覆うことができ、容易に組み付けることができる。なお、蓋体８０とボックス本体１１０を組み付けると、蓋体８０側ネジ螺合部８４の底部がボックス本体１１０側ネジ螺合部１１５の円筒状の保護筒部に挿入され、ネジ螺合部同士が係合する。
【００４９】
次に、弾球遊技機１を出荷する時には、６個連設されているネジ螺合部のうち１つのネジ螺合部に一方向ネジ９０を螺合し、図９に示すように、蓋体８０側とボックス本体１１０側とを締結して遊技基板ボックスを封止する。なお、各一方向ネジ９０はタッピング式であって頭側に一方向係合溝が、軸部側の螺旋条に切欠き部がそれぞれ設けられ、一方向係合溝に係合するドライバー等の工具により締め付け方向の一方向にのみ操作できるようになっている。また、他の５箇所のネジ螺合部は検査後の再封止用として用いる。他のネジ挿通部側に先端を螺合し仮止めされている。
【００５０】
従って、遊技基板ボックス６２が封止された状態で、遊技基板ボックス６２内にドライバーや針がね等を挿入することがほぼ不可能となり、結果として制御基板に対する不正行為が行えない構造になる。
【００５１】
一方、検査に際して、蓋体８０とボッスク本体１１０を分離する場合においても、軸体８３を中心に蓋体８０を９０°程度回転させるだけで、図８に示すように、係合爪１１８の円弧欠落部より軸体８３を係合解除できる。
【００５２】
［取付台１５０の構造］
取付台１５０は、図１０に示すように、矩形状の底板１５１と、底板１５１の短手側の一端に設けた付勢手段である板バネ１５２と、底板１５１の長手側の両側に設けた側板１５３，１５４，１５５，１５６と、底板１５１の短手側の他端に設けた係止部１５７とを備えている。
【００５３】
板バネ１５２はハ字状に折り曲げたバネ材である。板バネ１５２はハ字状の両端部が底板１５１の長手方向（付勢側）に向いた状態で、ハ字状の中央部を底板１５１の短手側の一端に固着している。
【００５４】
側板１５３，１５４は、板バネ１５２側にあって、底板１５１の対向する長手側部の一部を垂直に折り曲げて形成している。側板１５３，１５４には第１係合溝１６１，１６２が穿設されている。第１係合溝１６１と第１係合溝１６２の形状は線対称となっているので、溝形状は第１係合溝１６１について説明し、第１係合溝１６２の説明は省略する。すなわち、第１係合溝１６１は垂直方向の溝である開口部１６１ａと、水平方向の溝である水平部１６１ｂと、からなるＬ字状の溝である。そして、水平部１６１ｂは開口部１６１ａから板バネ１５２側に向けて穿設されている。また、水平部１６１ｂの溝幅は第１係合ピン９１ａが溝内で水平方向に移動自在となるように、第１係合ピン９１ａの軸径と同じかやや大きめに穿設されている。一方、開口部１６１ａの溝幅は、第１係合ピン９１ａが外部より溝内に入り易いように水平部１６１ｂの溝幅より大きめに穿設されている。
【００５５】
また、側板１５５，１５６には第２係合溝１６３，１６４が穿設されている。第２係合溝１６３と第２係合溝１６４の形状は線対称となっているので、溝形状は第２係合溝１６３について説明し、第２係合溝１６４の説明は省略する。すなわち、第２係合溝１６３は垂直方向の溝である開口部１６３ａと、水平方向の溝である水平部１６３ｂと、からなるＬ字状の溝である。そして、水平部１６３ｂは開口部１６３ａから係止部１５７側に向けて穿設されている。また、水平部１６３ｂの溝幅は第２係合ピン９２ａが溝内で水平方向に移動自在となるように、第２係合ピン９２ａの軸径と同じかやや大きめに穿設されている。一方、開口部１６３ａの溝幅は、第２係合ピン９２ａが外部より溝内に入り易いように水平部１６１ｂの溝幅より大きめに穿設されている。
【００５６】
係止部１５７は外形が直方体であり、この直方体の長手側面が板バネ１５２の付勢方向に対し直角方向となるように底板１５１上に配置されている。
【００５７】
底板１５１の長手側部の一方には、その中央部分に案内板１５８が設けられている。この案内板１５８は遊技基板ボックス６２を取付台１５０に取り付ける際、遊技基板ボックス６２の長手側部を位置決め案内するために用いられる。
【００５８】
また、底板１５１には、機構板５０に取付台１５０を固定するための取付け穴１５９ａ，１５９ｂ，１５９ｃ，１５９ｄが４個穿設されている。
【００５９】
次に、遊技基板ボックス６２を取付台１５０に取り付け／取り外しの手順を説明する。なお、取付台１５０は取付け穴１５９ａ，１５９ｂ，１５９ｃ，１５９ｄ及び４本のボルト（図示せず）を用いて機構板５０に固定されているものとする。
【００６０】
遊技基板ボックス６２を取付台１５０に取り付ける際、まず、遊技基板ボックス６２の当接部（ボックス本体の側壁１１７）を板バネ１５２側に向けて取付台１５０に重ねるように配置し（図１２参照）、第１係合ピン９１ａ，９１ｂを第１係合溝１６１，１６２の開口部１６１ａ，１６２ａに挿入し、水平部１６１ｂ，１６２ｂまで移動する。
【００６１】
次に、遊技基板ボックス６２の当接部１１７を板バネ１５２に当接させ付勢力に抗して押圧しながら、第１係合ピン９１ａ，９１ｂを水平部１６１ｂ，１６２ｂに沿って付勢方向と反対方向に移動させる（図１３参照）。そして、第２係合ピン９２ａ，９２ｂを第２係合溝１６３，１６４の開口部１６３ａ，１６４ａ真上まで移動させる。
【００６２】
次に、第２係合ピン９２ａ，９２ｂを開口部１６３ａ，１６４ａに挿入し、水平部１６３ｂ，１６４ｂまで移動させる。そして、遊技基板ボックス６２による板バネ１５２の押圧動作を止めると、遊技基板ボックス６２が板バネ１５２に付勢され、第２係合ピン９２ａ，９２ｂが水平部１６３ｂ，１６４ｂに沿って付勢方向に移動する。この時、第１係合ピン９１ａ，９１ｂ及び第２係合ピン９２ａ，９２ｂは水平部１６１ｂ，１６２ｂ内及び水平部１６３ｂ，１６４ｂ内で係合しており上下方向の移動が規制されている（図１４参照）。
【００６３】
そして、遊技基板ボックス６２が係止部１５７に当接することで、遊技基板ボックス６２は長手方向の一方より付勢され、長手方向の他方は係止部１５７により係止した状態となる。従って、遊技基板ボックス６２は取付台１５０に取り付けられる。
【００６４】
取付台１５０から遊技基板ボックス６２を取り外す際は、取付け手順と反対の手順で行う。すなわち、遊技基板ボックス６２を板バネ１５２の付勢力に抗して押圧し、水平部１６１ｂ，１６２ｂ内及び水平部１６３ｂ，１６４ｂ内において、第１係合ピン９１ａ，９１ｂ及び第２係合ピン９２ａ，９２ｂを付勢方向と反対方向に案内し（図１５参照）、まず、第２係合ピン９２ａ，９２ｂを第２係合溝１６３，１６４から解除する。
【００６５】
次に、遊技基板ボックス６２の押圧動作を止めると、板バネ１５２の付勢力により第１係合ピン９１ａ，９１ｂが水平部１６１ｂ，１６２ｂ内に沿って付勢方向に案内され、第１係合ピン９１ａ，９１ｂが第１係合溝１６１，１６２から離脱可能な位置まで移動する（図１６参照）。
【００６６】
そして、第１係合ピン９１ａ，９１ｂが第１係合溝１６１，１６２から離脱可能な位置まで移動すれば、遊技基板ボックス６２を取付台１５０より取り外す（図１７参照）。
【００６７】
この実施の形態によれば、固定用ネジを必要としないので、取付台１５０に遊技基板ボックス６２を容易に取り付けられる。また、取り外しの際も、取付け手順と反対の手順で行えばよいので作業は容易である。
【００６８】
なお、前述した実施の形態では、付勢手段として板バネ１５２を用いて説明したが、本発明は板バネ１５２に限定されるものではない。付勢手段は遊技基板ボックス６２を付勢できるものであれば、例えばコイルバネであってもよい。
【００６９】
更に、前述した実施の形態では、蓋体８０およびボックス本体１１０を透過性のものとして説明したが、蓋体およびボックス本体は非透過性のものであってもよい。蓋体およびボックス本体を非透過性のものとした場合、遊技機のトラブル等により、遊技場係員が遊技機の前面扉を開ける際に、制御基板上の様子を覗き見られることを防ぐことができる。
【００７０】
更にまた、前述した実施の形態では、遊技機をパチンコ遊技機（弾球遊技機）として説明したが、本発明の遊技機の基板収納ボックスはスロットマシン等にも適用可能なことは明白である。
【００７１】
【発明の効果】
本発明によれば、取付けの際、一対の第１係合ピン及び第２係合ピンが第１係合溝内及び第２係合溝内に係合することで上下方向の移動を規制でき、基板収納ボックスを付勢方向に付勢することで第１係合ピン及び第２係合ピンが第１係合溝内及び第２係合溝内から離脱しようとして付勢方向と反対方向に移動しないように規制できる。従って、固定用ネジを必要としないので、取付台に基板収納ボックスを容易に取り付けられる。また、取り外しの際も、取付け手順と反対の手順で行えばよいので作業は容易である。
従って、本発明は固定用ネジを必要とせずに、基板収納ボックスを取付台に簡単に取り付けでき、取り外しも容易な遊技機の基板収納ボックス取付構造を提供できる。
【図面の簡単な説明】
【図１】本発明の一実施の形態における弾球遊技機の正面図である。
【図２】本発明の一実施の形態における弾球遊技機の背面図である。
【図３】ボックス本体の平面図である。
【図４】蓋体を下面側より見た平面図である。
【図５】図３のＡ−Ａ矢視図であり、係合爪近傍の拡大図を示す。
【図６】図４のＢ−Ｂ矢視図であり、軸体近傍の拡大図を示す。
【図７】蓋体とボックス本体との組み付け作業の説明図である。
【図８】図７のＣ部拡大図である。
【図９】蓋体の一部断面図であり、基板収納ボックスを封止する状態を示す。
【図１０】取付台の平面図である。
【図１１】取付台の側面図である。
【図１２】取付台に基板収納ボックスを取り付ける場合の説明図である。
【図１３】取付台に基板収納ボックスを取り付ける場合の説明図である。
【図１４】取付台に基板収納ボックスを取り付ける場合の説明図である。
【図１５】取付台に基板収納ボックスを取り外す場合の説明図である。
【図１６】取付台に基板収納ボックスを取り外す場合の説明図である。
【図１７】取付台に基板収納ボックスを取り外す場合の説明図である。
【符号の説明】
１…弾球遊技機（遊技機）
２…外枠
３…枠基体
２２…操作ハンドル
３０…カードユニット装置
４０…遊技盤
５０…機構板
６１…遊技制御回路基板（制御基板）
６２…遊技基板ボックス（基板収納ボックス）
７１…打球発射装置
８０…蓋体
８１…蓋板
８２…外周壁部
８３…軸体
８３ａ…曲面
８４，１１５…ネジ螺合部（封止手段）
９０…一方向ネジ
９１ａ，９１ｂ…第１係合ピン
９２ａ，９２ｂ…第２係合ピン
１１０…ボックス本体
１１１…底板
１１２…周壁部
１１３…載置枠
１１４…係止片
１１７…側壁（当接部）
１１８…係合爪
１１８ａ…内周面
１５０…取付台
１５１…底板
１５２…板バネ（付勢手段）
１５７…係止部
１６１，１６２…第１係合溝
１６１ａ，１６２ａ…開口部
１６１ｂ，１６２ｂ…水平部
１６３，１６４…第２係合溝
１６３ａ，１６４ａ…開口部
１６３ｂ，１６４ｂ…水平部
【図１】
0003665253.tif 000002
【図２】
0003665253.tif 000003
【図３】
0003665253.tif 000004
【図４】
0003665253.tif 000005
【図５】
0003665253.tif 000006
【図６】
0003665253.tif 000007
【図７】
0003665253.tif 000008
【図８】
0003665253.tif 000009
【図９】
0003665253.tif 000010
【図１０】
0003665253.tif 000011
【図１１】
0003665253.tif 000012
【図１２】
0003665253.tif 000013
【図１３】
0003665253.tif 000014
【図１４】
0003665253.tif 000015
【図１５】
0003665253.tif 000016
【図１６】
0003665253.tif 000017
【図１７】
0003665253.tif 000018